(57)【要約】  【課題】  入札者は大きい確率で商品を手に入れることができるでだけでなく、確実に落札が行われる。  【解決手段】  スタート金額設定手段によって設定されたスタート金額から、一定時間設定手段によって設定された時間内に、落札認識手段による落札が認識されない場合には、低下金額設定手段によってスタート金額から低下した金額でオークションを継続するようにした。【選択図】  図１
2006313464.tif 000002
【特許請求の範囲】
【請求項１】
スタート金額設定手段、一定時間設定手段、低下金額設定手段、落札認識手段を有するインターネットを利用したオークション方法であって、
スタート金額設定手段によって設定されたスタート金額から、一定時間設定手段によって設定された時間内に、落札認識手段による落札が認識されない場合には、低下金額設定手段によってスタート金額から低下した金額でオークションを継続するようにしたことを特徴とするインターネットを利用したオークション方法。
【請求項２】
低下金額設定手段は、金額を設定するようにしたことを特徴とする請求項１記載のインターネットを利用したオークション方法。
【請求項３】
低下金額設定手段は、低下の割合を設定するようにしたことを特徴とする請求項１記載のインターネットを利用したオークション方法。
【請求項４】
一定時間設定手段は、一定時間を複数回に渡って設定することができるようにしたことを特徴とする請求項１、２または３記載のインターネットを利用したオークション方法。
【請求項５】
あらかじめ、スタート金額設定手段によって設定されたスタート金額、一定時間設定手段によって設定された時間、低下金額設定手段によってスタート金額から低下させた金額をインターネット上に表示するようにしたことを特徴とする請求項１、２、３または４記載のインターネットを利用したオークション方法。
【請求項６】
落札が予想される金額を設定する予想金額設定手段と、この予想金額設定手段に設定された予想金額をインターネット上に表示するようにしたことを特徴とする請求項５記載のインターネットを利用したオークション方法。
【請求項７】
スタート金額を表示しているときは、スタート金額を最低金額として一定時間設定手段によって設定された時間内に入札された最高金額を落札金額とし、一定時間設定手段による設定時間経過後の低下金額設定手段によって設定された低下金額を表示しているときは、一定時間設定手段によって設定された時間内であって、前回表示されていた金額と今回表示されている金額のと間で入札された最高金額を落札金額とするようにしたことを特徴とする請求項１、２、３、４、５または６記載のインターネットを利用したオークション方法。
【請求項８】
入札者の通信端末と接続されているインターネットを利用してオークションを行うためのオークションサーバーであって、
入力装置によって入力された商品情報である、商品画像記憶手段、スタート金額記憶手段、一定時間記憶手段、低下金額記憶手段とを有し、かつ入札者の通信端末からの入札信号を受けて落札を判断する落札認識手段を有し、
スタート金額記憶手段に記憶されたスタート金額から、一定時間記憶手段に設定された時間内に、落札認識手段による落札が認識されない場合には、低下金額記憶手段に記憶されたスタート金額から低下した金額を入札者の通信端末に出力することを特徴とするインターネットを利用してオークションを行うためのオークションサーバー。
【発明の詳細な説明】
【技術分野】
【０００１】
本発明はインターネットを利用したオークション方法及びインターネットを利用してオークションを行うためのオークションサーバー、更に詳しくはインターネットを利用したオークションであって、オークションのスタート金額に対して、落札されない場合に時間経過に従って落札金額を低下させるようにしたインターネットを利用したオークション方法に関するものである。
【背景技術】
【０００２】
従来から、インターネットを通じてオークションが行われていた。
しかしながら従来のオークションは、スタート金額に対して、入札者が順次高い金額での購入を入札し、所定時間経過後に最高金額を入札した入札者に落札することとなっていた。
このようなシステムであったため、従来のオークションでは、スタート金額が相場の金額よりも高い場合には、全く入札が行われないままでオークションが終了することもあった。
このような事態の対処として、例えば特開２００３−２４２３８３等では、過去の落札金額を記憶しておき、スタート金額が過去の落札金額に比較して高い場合には、スタート金額の変更を求めるような発明が提案されていた。
【特許文献１】特開２００３−２４２３８３公報
【発明の開示】
【発明が解決しようとする課題】
【０００３】
特開２００３−２４２３８３では、スタート金額が過去の落札金額に比較して高い場合には、スタート金額の変更を求めることができるものの、商品に関する落札金額は時代の変遷、流行、色、季節等の多くの要素が作用して決定される事項である。従って、過去のデータによって決定されたスタート金額は、実際のオークションでは参考とならない場合もあった。
そこで本発明のうち請求項１記載の発明は、スタート金額では落札されない場合には、時間経過に従って低下した金額での落札を可能とすることによって、確実に落札が行われるようにしたインターネットを利用したオークション方法を提供することを目的とする。
【０００４】
請求項２，３記載の発明は、金額の低下を、金額で設定することもできるし、低下率で競ってすることもできるようにしたインターネットを利用したオークション方法を提供することを目的とする。
請求項４記載の発明は、金額の低下を複数回に渡って行うようにして、低下した金額での落札を可能とすることによって、確実に落札が行われるようにしたインターネットを利用したオークション方法を提供することを目的とする。
請求項５記載の発明は、スタートの段階で、スタート金額設定手段によって設定されたスタート金額、一定時間設定手段によって設定された時間、低下金額設定手段によってスタート金額から低下させた金額をインターネット上に表示するようにして、入札者にどの金額での入札を行うかということの判断材料を開示することで、確実に落札が行われるようにしたインターネットを利用したオークション方法を提供することを目的とする。
【０００５】
請求項６記載の発明は、入札者の参考として、落札が予想される予想金額を表示し、確実に落札が行われるようにしたインターネットを利用したオークション方法を提供することを目的とする。
請求項７記載の発明は、時間経過に伴って順次落札金額を低下していくものの、低下させた金額の範囲内で、入札者が順次高い金額での購入を入札し、設定時間経過後に最高金額を入札した入札者に落札されるようにしたインターネットを利用したオークション方法を提供することを目的とする。
請求項８記載の発明は、請求項１記載の発明を実施するために用いるオークションサーバーを提供することを目的とする。
【課題を解決するための手段】
【０００６】
前述した課題を解決するために、本発明のうち、請求項１記載の発明は、スタート金額設定手段、一定時間設定手段、低下金額設定手段、落札認識手段を有するインターネットを利用したオークション方法であって、スタート金額設定手段によって設定されたスタート金額から、一定時間設定手段によって設定された時間内に、落札認識手段による落札が認識されない場合には、低下金額設定手段によってスタート金額から低下した金額でオークションを継続するようにしたことを特徴とする。
請求項２記載の発明は、請求項１記載の発明の構成に加えて、低下金額設定手段は、金額を設定するようにしたことを特徴とする。
【０００７】
請求項３記載の発明は、請求項１記載の発明の構成に加えて、低下金額設定手段は、低下の割合を設定するようにしたことを特徴とする。
請求項４記載の発明は、請求項１、２または３記載の発明の構成に加えて、一定時間設定手段は、一定時間を複数回に渡って設定することができるようにしたことを特徴とする。
請求項５記載の発明は、請求項１、２、３または４記載の発明の構成に加えて、あらかじめ、スタート金額設定手段によって設定されたスタート金額、一定時間設定手段によって設定された時間、低下金額設定手段によってスタート金額から低下させた金額をインターネット上に表示するようにしたことを特徴とする。
【０００８】
請求項６記載の発明は、請求項５記載の発明の構成に加えて、落札が予想される金額を設定する予想金額設定手段と、この予想金額設定手段に設定された予想金額をインターネット上に表示するようにしたことを特徴とする。
請求項７記載の発明は、請求項１、２、３、４、５または６記載の発明の構成に加えて、スタート金額を表示しているときは、スタート金額を最低金額として一定時間設定手段によって設定された時間内に入札された最高金額を落札金額とし、一定時間設定手段による設定時間経過後の低下金額設定手段によって設定された低下金額を表示しているときは、一定時間設定手段によって設定された時間内であって、前回表示されていた金額と今回表示されている金額のと間で入札された最高金額を落札金額とするようにしたことを特徴とする。
【０００９】
ここで、「スタート金額設定手段」とは、オークションのスタート時の金額を設定するための手段であり、例えば、１２万円のように設定できる。
「一定時間設定手段」とは、スタート金額を維持している時間の設定手段であり、例えば４時間のように設定できる。またこの「一定時間設定手段」は、１回だけ設定することもできるし、請求項４記載の発明のように、例えば４時間毎に５回のように複数回に渡って設定することもできる。
「低下金額設定手段」とは、一定時間間設定手段によって設定された時間経過後に低下した金額を設定するための手段であって、請求項２記載の発明のように、例えば１万円低下させるように設定することもできるし、請求項３記載の発明のように、例えば１割低下させるように設定することもできる。
【００１０】
また、請求項４記載の発明のように、一定時間を複数回設定し、例えば４時間毎に５回としたとする。前述した例で説明すると、請求項２記載の発明では、
スタートから  ４時間        １２万円
４時間から  ８時間        １１万円
８時間から１２時間        １０万円
１２時間から１６時間          ９万円
１６時間から２０時間          ８万円
２０時間から２４時間          ７万円
となる。
【００１１】
また、同一事案を請求項３記載の発明では、
スタートから  ４時間        １２．０万円
４時間から  ８時間        １０．８万円
８時間から１２時間          ９．７万円
１２時間から１６時間          ８．７万円
１６時間から２０時間          ７．９万円
２０時間から２４時間          ７．１万円
となる。
【００１２】
また、このような金額は、一定時間設定手段による一定時間経過後に、現在の金額として表示することもできるが、請求項５記載の発明のように、オークションのスタート時点で、前記したような経過時間と金額とが対比できる表示を行うこともできる。
更に、請求項２記載の発明のように、
スタートから  ４時間        １２万円
４時間から  ８時間        １１万円
と設定されている場合、「４時間から８時間」の間は、「１１万円」での入札のみ受け付けることとすることもできるし、１１万円以上の入札を受け付け、８時間時点での最高金額を落札金額とすることもできるし、請求項７記載の発明のように、１１万円以上１２万円未満の範囲で８時間時点での最高金額を落札金額とすることもできる。
【００１３】
またいずれの場合であっても、同一金額の入札に関しては、入札時間順とすることもできるし、一定時間設定手段による設定手段経過後の抽選とすることもできる。
「落札認識手段」とは、特定の金額での入札で落札されたことを認識するための手段であり、この落札の認識によって、オークションが終了する。
なお、「予想金額設定手段」とは、過去の同一または類似商品の落札金額からして、予想される落札金額を設定し、かつインターネット上に表示するものである。
具体的には、
スタートから  ４時間        １２万円
４時間から  ８時間        １１万円
８時間から１２時間        １０万円
１２時間から１６時間          ９万円
１６時間から２０時間          ８万円
２０時間から２４時間          ７万円
とした場合、「予想落札金額９万円」と表示することもできるし、
スタートから  ４時間        １２万円       落札予想      ２％
４時間から  ８時間        １１万円       落札予想      ８％
８時間から１２時間        １０万円       落札予想    ３０％
１２時間から１６時間          ９万円       落札予想    ６０％
１６時間から２０時間          ８万円       落札予想    ８５％
２０時間から２４時間          ７万円       落札予想    ９９％
のように表示することもできる。
【００１４】
また、グラフとして表示することも可能である。
請求項８記載の発明は、入札者の通信端末と接続されているインターネットを利用してオークションを行うためのオークションサーバーであって、入力装置によって入力された商品情報である、商品画像記憶手段、スタート金額記憶手段、一定時間記憶手段、低下金額記憶手段とを有し、かつ入札者の通信端末からの入札信号を受けて落札を判断する落札認識手段を有し、スタート金額記憶手段に記憶されたスタート金額から、一定時間記憶手段に設定された時間内に、落札認識手段による落札が認識されない場合には、低下金額記憶手段に記憶されたスタート金額から低下した金額を入札者の通信端末に出力することを特徴とする。
【００１５】
この発明は、請求項１記載の発明を実施するために用いるオークションサーバーに関する発明である。
【発明の効果】
【００１６】
そこで本発明のうち請求項１記載の発明は、スタート金額では落札されない場合には、時間経過に従って低下した金額での落札を可能とすることによって、確実に落札が行われるようにした。
請求項２，３記載の発明は、金額の低下を、金額で設定することもできるし、低下率で競ってすることもできるようにした。
請求項４記載の発明は、金額の低下を複数回に渡って行うようにして、低下した金額での落札を可能とすることによって、確実に落札が行われるようにした。
請求項５記載の発明は、スタートの段階で、スタート金額設定手段によって設定されたスタート金額、一定時間設定手段によって設定された時間、低下金額設定手段によってスタート金額から低下させた金額をインターネット上に表示するようにして、入札者にどの金額での入札を行うかということの判断材料を開示することで、確実に落札が行われるようにした。
【００１７】
請求項６記載の発明は、入札者の参考として、落札が予想される予想金額を表示し、確実に落札が行われるようにした。
請求項７記載の発明は、時間経過に伴って順次落札金額を低下していくものの、低下させた金額の範囲内で、入札者が順次高い金額での購入を入札し、設定時間経過後に最高金額を入札した入札者に落札されるようにした。
【発明を実施するための最良の形態】
【００１８】
以下、図面を参照しながら本発明の実施の形態を説明する。
図１は、本発明を説明するためのブロック図であり、入札者の通信端末８０と、主催者のオークションサーバー１０との間をインターネットで接続してオークションが行えるようにしたものであり、図２は、入札者の通信端末８０での画面９０を示した一例である。
まず最初に、本発明に係るインターネットを利用したオークション方法について説明する。
この、インターネットを利用したオークション方法は、スタート金額設定手段、一定時間設定手段、低下金額設定手段、落札認識手段を有するインターネットを利用したオークション方法であって、スタート金額設定手段によって設定されたスタート金額から、一定時間設定手段によって設定された時間内に、落札認識手段による落札が認識されない場合には、低下金額設定手段によってスタート金額から低下した金額でオークションを継続するようにしたものである。
【００１９】
具体的には、主催者のオークションサーバー１０は、入札者の通信端末８０と接続されているインターネットを利用してオークションを行うものである。
このオークションサーバー１０は、入力装置２０によって入力された商品情報である、商品画像記憶手段３０、スタート金額記憶手段４０、一定時間記憶手段５０、低下金額記憶手段６０とを有し、かつ入札者の通信端末８０からの入札信号を受けて落札を判断する落札認識手段７０を有している。
そして、スタート金額記憶手段４０に記憶されたスタート金額から、一定時間記憶手段５０に設定された時間内に、落札認識手段７０による落札が認識されない場合には、低下金額記憶手段６０に記憶されたスタート金額から低下した金額を入札者の通信端末８０に出力するものである。そして、これらの各情報を入札者の通信端末８０の画面９０に表示するものである。
【００２０】
図２に示したものが、入札者の通信端末８０の画面９０の一例である。
ここでは、スタート日時９１、商品名９２，商品画像９３，時間９４，金額９５、落札予想パーセント９６が表示されている。
ここで、「入力手段２０」とは、例えば商品画像記憶手段３０への入力であるとスキャナーあるいは電子画像処理装置等が該当し、スタート日時９１、商品名９２、スタート金額記憶手段４０、一定時間記憶手段５０、低下金額記憶手段６０への記憶のための入力であると、文字入力用キーボード、数字入力用キーボード、タッチキー、音声入力手段等が該当する。ただこの他にも、適宜入力手段２０を用いることができる。
【００２１】
「スタート金額設定手段」とは、オークションをスタートさせる際の商品の金額を設定して、スタート金額記憶手段４０に記憶させるための手段であり、出展者の意向により決定された金額、例えば、１２万円のように設定記憶される。
「一定時間設定手段」とは、スタート金額あるいはその後の一定時間中の金額を維持している時間を設定し、一定時間記憶手段５０に記憶させるための設定手段であり、例えば４時間のように設定できる。またこの「一定時間設定手段」は、１回だけ設定することもできるし、本実施の形態のように、例えば４時間毎に５回のように複数回に渡って設定し、一定時間記憶手段５０に記憶させることもできる。
【００２２】
「低下金額設定手段」とは、一定時間間設定手段によって設定された時間経過後に低下した金額を設定し、低下金額記憶手段６０に記憶させておくための手段であって、例えば、一定時間記憶手段５０によって設定された時間内に、落札認識手段７０による落札が認識されない場合には、一定時間記憶手段５０に記憶されている時間が経過する毎に、１万円低下させるように設定してある。
この場合、具体的には、
スタートから  ４時間        １２万円
４時間から  ８時間        １１万円
８時間から１２時間        １０万円
１２時間から１６時間          ９万円
１６時間から２０時間          ８万円
２０時間から２４時間          ７万円
のように設定することができる。
【００２３】
ただしこの低下金額記憶手段６０への記憶は、一定時間記憶手段５０によって設定された時間内に、落札認識手段７０による落札が認識されない場合には、例えば１割低下させるように設定することもできる。
また、この場合、具体的には、
スタートから  ４時間        １２．０万円
４時間から  ８時間        １０．８万円
８時間から１２時間          ９．７万円
１２時間から１６時間          ８．７万円
１６時間から２０時間          ７．９万円
２０時間から２４時間          ７．１万円
のように設定される。なおここでの表示は、百円台の金額をを四捨五入してある。
【００２４】
「落札認識手段７０」とは、通信端末８０からの指示により、特定の金額での入札で商品が落札されたことを認識するための手段であり、この落札の認識によって、オークションが終了する。
この「落札認識手段７０」の具体的作動を、一定時間記憶手段５０によって設定された時間内に、落札認識手段７０による落札が認識されない場合には、一定時間記憶手段５０に記憶されている時間が経過する毎に、１万円低下させるように設定した下記の場合について説明する。
スタートから  ４時間        １２万円
４時間から  ８時間        １１万円
８時間から１２時間        １０万円
１２時間から１６時間          ９万円
１６時間から２０時間          ８万円
２０時間から２４時間          ７万円
この場合、「４時間から８時間」の間は、「１１万円」での入札のみ受け付けることとし、「１１万円」の入札があった段階で落札認識手段７０による落札が認識されたとすることができる。
【００２５】
ただここでは、１１万円以上の入札を受け付け、８時間時点での最高入札金額が、落札認識手段７０により落札が認識された金額とすることもできる。
さらには、１１万円以上１２万円未満の範囲で８時間時点での最高入札金額が、落札認識手段７０により落札が認識された金額とすることもできる。
またいずれの場合であっても、同一金額の入札に関しては、入札時間順とすることもできるし、一定時間設定手段による設定手段経過後の抽選とすることもできる。
なお、「予想金額設定手段」とは、過去の同一または類似商品の落札金額からして、予想される落札金額を設定し、予想金額記憶手段７５に記憶させ、かつインターネット上に表示するものである。
具体的には、「予想落札金額９万円」と表示することもできるし、
スタートから  ４時間        １２万円       落札予想      ２％
４時間から  ８時間        １１万円       落札予想      ８％
８時間から１２時間        １０万円       落札予想    ３０％
１２時間から１６時間          ９万円       落札予想    ６０％
１６時間から２０時間          ８万円       落札予想    ８５％
２０時間から２４時間          ７万円       落札予想    ９９％
のように表示することもできる。
【００２６】
また、グラフとして表示することも可能である。
なお、具体的な入札者の通信端末８０での画面９０の一例を図２に示した。
このように、あらかじめ時間と金額とが表示されると、入札者は、入札したい金額の時間帯まで待って入札することで、それ以前に落札されていない限り、大きい確率で商品を手に入れることができるでだけでなく、時間経過に伴って入札金額が低下するので、落札されないという事態を防止することができる。
なお、スタートから、５時間経過後に、「８時間から１２時間の間の１０万円」で入札として、予約を可能とすることもできる。
【産業上の利用可能性】
【００２７】
本発明はインターネットを利用したオークション方法及びインターネットを利用してオークションを行うためのオークションサーバーに関し、パーソナルコンピュータあるいは携帯電話等にて入札することが可能であり、確実に落札できるオークションである。
【図面の簡単な説明】
【００２８】
【図１】本発明を説明するためのブロック図である。
【図２】入札者の通信端末８０での画面９０を示した一例である。
【符号の説明】
【００２９】
１０  オークションサーバー          ２０  入力手段
３０  商品画像記憶手段              ４０  スタート金額記憶手段
５０  一定時間記憶手段              ６０  低下金額記憶手段
７０  落札認識手段                  ７５  予想金額記憶手段
８０  通信端末                      ９０  画面
【図１】
2006313464.tif 000003
【図２】
2006313464.tif 000004